(57)【要約】【課題】可動片の前面を覆う保護板の内部で球詰まりが発生した場合でも、容易に球詰まりを解消することができるパチンコ機を提供する。【解決手段】遊技盤２０の遊技領域２１に開閉可能な可動片３８を有する作動タイプの第２始動入賞口２７が設けられており、この可動片３８の前面を覆う保護板３９がベース部材３４に固定されていると共に、ベース部材３４に可動片３８に対してアクセス可能な治具挿通孔４０が設けられている。保護板３９の内部で可動片３８に球詰まりが発生した場合、前面扉３を開放して保護板３９を露呈させた状態で、治具挿通孔４０に治具４４を差し込んで可動片３８を第１駆動機構３７の駆動力に抗して逆向きに回転させると、ベース部材３４の開口縁と可動片３８との間で挟まれていた遊技球が第２始動入賞口２７の内部に導かれて球詰まりが解消される。【選択図】図９
2019195529.tif 000002
【特許請求の範囲】
【請求項１】
遊技球が流下可能な遊技領域を有する遊技盤と、前記遊技盤に設けられた遊技球の入球通路と、前記入球通路に設けられた球検知センサと、前記入球通路の入口を開放または閉塞する可動片とを備え、前記遊技領域が前面扉に設けられた透明板によって覆われているパチンコ機において、
前記遊技盤と前記透明板との間に前記可動片の前面を覆う保護板が配設されていると共に、前記保護板または該保護板を支持するベース部材に前記可動片を可動可能に前方からアクセス可能な挿通孔が設けられていることを特徴とするパチンコ機。
【請求項２】
請求項１に記載のパチンコ機において、
前記可動片は電磁ソレノイドを駆動源として前記遊技盤の前後方向へ移動可能であり、前記挿通孔が前記可動片の前面と対向する位置に設けられていることを特徴とするパチンコ機。
【請求項３】
請求項２に記載のパチンコ機において、
前記遊技盤に開閉扉の開放動作によって遊技球の入賞を許可するアタッカ装置が配設されており、前記アタッカ装置の内部に設けられた球誘導通路の前方が前記保護板によって覆われていると共に、前記入球通路と前記可動片が前記球誘導通路の途中に設けられていることを特徴とするパチンコ機。
【請求項４】
請求項１に記載のパチンコ機において、
前記可動片は、左右方向に延びる軸部を中心に回動可能な回動タイプであると共に、前記軸部から互いに逆向きに突出する作動部と受部とを有しており、前記作動部が前記入球通路の入口を開閉する位置に配置され、前記受部が前記挿通孔と対向する位置に配置されていることを特徴とするパチンコ機。
【発明の詳細な説明】
【技術分野】
【０００１】
本発明は、遊技球を用いて遊技を行うパチンコ機に関するものである。
【背景技術】
【０００２】
パチンコ機の中には、遊技盤の盤面（前面）をガイドレールによって略円形状の遊技領域を区画すると共に、この遊技領域内に可変表示装置や入賞口（始動入賞口と一般入賞口）やアタッカ装置や通過ゲート（スルーチャッカ）等を配設し、遊技領域に向けて発射された遊技球が始動入賞口に入賞したことを契機に特別図柄表示の抽選を行い、その抽選結果に基づいて可変表示装置が演出図柄の変動表示と停止表示を行うようにした機種が数多く存在する。
【０００３】
特別図柄表示の抽選結果には当選（当たり）と非当選（ハズレ）があり、抽選結果が当たりの場合には、可変表示装置の表示画面に所定の演出図柄の組合せが表示され、通常モードから特別遊技モードへと移行する。この特別遊技モードでは、アタッカ装置の開閉扉が開放動作して大入賞口を露呈させるので、露呈した大入賞口に遊技球が入球しやすくなって多くの賞球を獲得できるようになる。また、始動入賞口としては開閉可能な作動片を有する作動タイプが多用されており、遊技球がスルーチャッカを通過したことを契機として普通図柄表示の抽選を行い、その抽選結果が当たりの場合に、始動入賞口の作動片を一時的に開放して遊技球の入球を許可するようになっている。
【０００４】
このようなパチンコ機において、遊技盤の盤面は前面扉に設けられた透明板によって覆われているが、透明板は遊技盤の盤面全体を覆う程度に大きい板状部材であるため、透明板に反りや歪み等の変形が生じやすくする。その結果、遊技盤の盤面と透明板との間隔が設計値に対して大きく変動してしまい、始動入賞口の作動片やアタッカ装置の開閉扉等の可動片と前面扉の透明板との間に適正なスペースを確保できなくなる。特に、可動片が遊技盤の前後方向へ往復移動するスライドタイプや、可動片が左右方向に延びる軸部を中心に前後方向へ回転する回動タイプである場合、可動片が透明板に近づく方向へ開放動作するため、可動片の先端と透明板との間に遊技球が挟まってしまうという問題が発生する。
【０００５】
そこで、特許文献１に記載されているように、アタッカ装置の前方に開閉扉（可動片）と大入賞口を覆う保護板を配設し、この保護板の後方スペース内で開閉扉を開放動作するようにしたパチンコ機が提案されている。このように遊技盤と前面扉との間に可動片の前面を覆う保護板を配設すると、前面扉の透明板に反り等の変形が生じたとしても、透明板と保護板との間隔が変動するだけであるため、可動片と透明板との間に遊技球が挟まってしまうことを防止できる。
【先行技術文献】
【特許文献】
【０００６】
【特許文献１】特開２０１３−２２０１０５号公報
【発明の概要】
【発明が解決しようとする課題】
【０００７】
特許文献１に記載された従来技術のように、遊技盤と前面扉との間に可動片の前面を覆う保護板を配設すれば、可動片と透明板との間に遊技球が挟まってしまうことを防止できる。しかし、可動片が入賞口を閉じる方向に回動またはスライド動作する際に、保護板の後方スペース内に流下してきた遊技球が可動片と入賞口の入口縁部との間に挟まって球詰まりを起こすことがあり、その場合、可動片の前面が保護板で覆われているため、前面扉を開放しても球詰まりを解消することが困難となる。
【０００８】
本発明は、このような従来技術の実情に鑑みてなされたものであり、その目的は、可動片の前面を覆う保護板の内部で球詰まりが発生した場合でも、容易に球詰まりを解消することができるパチンコ機を提供することにある。
【課題を解決するための手段】
【０００９】
上記の目的を達成するために、本発明のパチンコ機は、遊技球が流下可能な遊技領域を有する遊技盤と、前記遊技盤に設けられた遊技球の入球通路と、前記入球通路に設けられた球検知センサと、前記入球通路の入口を開放または閉塞する可動片とを備え、前記遊技領域が前面扉に設けられた透明板によって覆われているパチンコ機において、前記遊技盤と前記透明板との間に前記可動片の前面を覆う保護板が配設されていると共に、前記保護板または該保護板を支持するベース部材に前記可動片を可動可能に前方からアクセス可能な挿通孔が設けられていることを特徴としている。
【００１０】
このように構成されたパチンコ機では、入球通路の入口を開閉動作する可動片の前面が保護板で覆われており、この保護板の内部で球詰まりが発生した場合は、前面扉を開放して保護板を露呈させた状態で、保護板またはベース部材に設けられた挿通孔に治具を差し込んで可動片を手動操作することにより、容易に球詰まりを解消することができる。
【００１１】
上記の構成において、可動片が電磁ソレノイドを駆動源として遊技盤の前後方向へ移動可能なスライドタイプの場合、挿通孔が可動片の前面と対向する位置に設けられていると、保護板の内部で球詰まりが発生したときに、挿通孔に挿入した治具で可動片を電磁ソレノイドの駆動力に抗して後方へ押し込むことにより、容易に球詰まりを解消することができる。
【００１２】
この場合において、遊技盤に開閉扉の開放動作によって遊技球の入賞を許可するアタッカ装置が配設されており、このアタッカ装置の内部に設けられた球誘導通路の前方が保護板によって覆われていると共に、入球通路と可動片が球誘導通路の途中に設けられていると、本発明をアタッカ装置の内部に特定領域（Ｖ領域ともいう）を有するパチンコ機に適用し、特別遊技状態の特定ラウンドにおいて可動片を引き込み動作させて特定領域を開放することができる。このようなパチンコ機においても、アタッカ装置の内部を覆う保護板の後方で可動片に球詰まりが発生した場合は、前面扉を開放して保護板を露呈させた状態で、保護板に設けられた挿通孔に治具を差し込んで可動片を手動操作することにより、容易に球詰まりを解消することができる。
【００１３】
また、上記の構成において、可動片が左右方向に延びる軸部を中心に回動可能な回動タイプである場合は、可動片に軸部から互いに逆向きに突出する作動部と受部が設けられており、作動部が入球通路の入口を開閉する位置に配置されると共に、受部が挿通孔と対向する位置に配置されていると、挿通孔に挿入した治具で受部を押し込むことにより、容易に球詰まりを解消することができる。
【発明の効果】
【００１４】
本発明のパチンコ機によれば、可動片の前面を覆う保護板の内部で球詰まりが発生した場合でも、容易に球詰まりを解消することができる。
【図面の簡単な説明】
【００１５】
【図１】本発明の実施形態に係るパチンコ機の外観斜視図である。
【図２】該パチンコ機の正面図である。
【図３】該パチンコ機の裏面図である。
【図４】該パチンコ機に備えられる遊技盤の正面図である。
【図５】図４の遊技盤に設置された台板ユニットの正面図である。
【図６】該台板ユニットの側面図である。
【図７】該台板ユニットから保護板を取り外した状態を示す平面図である。
【図８】該台板ユニットの分解斜視図である。
【図９】図５のＡ−Ａ線に沿う断面図である。
【図１０】該台板ユニットに設けられた第２始動入賞口の入口を開閉する第１駆動機構の斜視図である。
【図１１】該第１駆動機構の正面図である。
【図１２】該第１駆動機構の側面図である。
【図１３】図４の遊技盤に設置されたアタッカ装置の正面図である。
【図１４】該アタッカ装置の側面図である。
【図１５】該アタッカ装置の斜視図である。
【図１６】該アタッカ装置から前面カバーを取り除いた状態を示す正面図である。
【図１７】該アタッカ装置から前面カバーを取り除いた状態を示す斜視図である。
【図１８】図１３のＢ−Ｂ線に沿う断面図である。
【図１９】該アタッカ装置の内部に設けられた特定領域を開閉する第２駆動機構の斜視図である。
【図２０】該第２駆動機構の正面図である。
【発明を実施するための形態】
【００１６】
発明の実施の形態について図面を参照して説明すると、図１と図２に示すように、本実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１７】
機枠１の左側枠部には上側軸受け体５ａと下側軸受け体５ｂが固着されており、本体枠２の左側枠部の上下両端には第１ピン（図示せず）が設けられている。そして、これら両第１ピンが対応する上下の軸受け体５ａ，５ｂに軸支されることにより、本体枠２は機枠１に対して開閉自在となっている。
【００１８】
本体枠２の上部内側には遊技盤（後述する）が収納されており、この遊技盤の盤面（前面）は透明板４を透して目視可能となっている。本体枠２の右側枠部にはシリンダ錠６ａを有する施錠装置６が設置されており、図示省略されているが、この施錠装置６は本体枠２の裏面に配置された後部施錠杆と本体枠２の前面に配置された前部施錠杆とを備えている。常態では、施錠装置６の後部施錠杆によって機枠１に対して本体枠２が施錠されると共に、前部施錠杆によって本体枠２に対して前面扉３が施錠されている。そして、シリンダ錠６ａの鍵穴に図示せぬ鍵を差し込み、この鍵を一方向（例えば時計回り）へ回動すると、後部施錠杆が下動して本体枠２が開錠されるようになっている。また、シリンダ錠６ａの鍵穴に差し込んだ鍵を他方向（反時計回り）へ回動すると、前部施錠杆が上動して前面扉３が開錠されるようになっている。
【００１９】
前面扉３の左側枠部の上下両端には第２ピン（図示せず）が設けられており、これら両第２ピンを本体枠２の上下の軸孔（図示せず）に挿入することにより、前面扉３は本体枠２に対して開閉自在となっている。また、前面扉３には遊技盤の盤面に対向する大きな開口３ａが開設されており、この開口３ａは透明板４によって塞がれている。前面扉３の上部には上部スピーカ７が左右に１個ずつ取り付けられていると共に、前面扉３の右下部には下部スピーカ８が１個取り付けられており、これら各スピーカ７，８によって遊技に関する様々な効果音を発するようになっている。
【００２０】
前面扉３の下部には前面ボード９が配設されており、この前面ボード９には受皿１０と下皿１１が設けられている。受皿１０は、遊技者が投入した遊技球を収納するだけでなく、遊技盤の裏面に配設された賞球払出装置（後述する）から払い出された遊技球を収容する。また、受皿１０が遊技球で一杯になると、遊技球は下皿１１に導かれることになる。この下皿１１の底面には球抜き孔１１ａが形成されており、通常、球抜き孔１１ａは開閉板によって閉じられているが、遊技者が球抜きレバー１１ｂを押圧操作すると、球抜き孔１１ａが開かれて下皿１１の下方に遊技球を排出することが可能となっている。
【００２１】
また、前面ボード９の右下部には発射ハンドル１２が取り付けられており、この発射ハンドル１２を遊技者が回動操作することにより、本体枠２の下部内側に設けられた発射装置（図示せず）による遊技球の発射強度が調整される。さらに、前面ボード９の中央部には演出操作装置１３が設けられており、この演出操作装置１３を遊技者が押圧操作および回転操作することにより、遊技中における演出や楽曲の選択、スピーカ７，８の音量調整等が行われるようになっている。
【００２２】
図３に示すように、このパチンコ機Ｐの背面側には、遊技に関する主要な処理を行う主制御処理部１４と、主制御処理部１４からの指令を受けて演出表示装置（後述する）やスピーカ７，８等の各種装置を制御する副制御処理部１５と、受皿１０に対して所定数の遊技球を賞球として払い出す賞球払出装置１６と、主制御処理部１４からの指令を受けて賞球払出装置１６を制御する払出制御処理部１７と、発射ハンドル１２の回転操作量に応じて発射装置の作動を制御する発射制御処理部１８と、賞球数や大当たり回数等の各種情報を遊技場のホールコンピュータに出力する外部端子基板１９等が設けられている。主制御処理部１４は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００２３】
図４に示すように、本体枠２の上部内側に収納された遊技盤２０は、その盤面に遊技領域２１を有しており、遊技者は前面扉３の透明板４を介して遊技領域２１を目視することができる。遊技領域２１はガイドレール２２等によって略円形状に区画形成されており、この遊技領域２１に向けて前述した発射装置から遊技球が打ち出されるようになっている。遊技領域２１内には、液晶パネル（ＬＣＤ）からなる演出表示装置２３と、一般入賞口２４と、通過ゲート２５と、第１始動入賞口２６と、第２始動入賞口２７と、大入賞口を有するアタッカ装置２８と、多数の遊技釘２９と、風車３０と、アウト口３１等が設けられている。
【００２４】
遊技領域２１内に設けられた上記各部材について簡単に説明すると、演出表示装置２３の下方にはステージ３２が設けられており、このステージ３２の中央部には誘導溝３２ａが形成されている。また、ステージ３２の左上部には中空構造のワープ通路３３が設けられており、このワープ通路３３の両端は、遊技領域２１とステージ３２とに向けてそれぞれ開口している。したがって、演出表示装置２３の左側に位置する遊技領域２１を流下する遊技球がワープ通路３３に進入すると、その遊技球はワープ通路３３の内部を通ってステージ３２に排出された後、ステージ３２上を転動して誘導溝３２ａへと導かれる。
【００２５】
第１始動入賞口２６は誘導溝３２ａの真下位置に配置されており、ステージ３２上を転動して誘導溝３２ａから落下した遊技球が高い確率で第１始動入賞口２６に入球するようになっている。一方、第２始動入賞口２７は演出表示装置２３の右側の遊技領域２１に配置されており、この第２始動入賞口２７の上方位置に通過ゲート２５が配置されている。第１始動入賞口２６は可動片を持たない非作動式の入賞口であるが、第２始動入賞口２７は舌片状の可動片を有する作動式の入賞口となっている。そして、遊技領域２１を流下する遊技球が両始動入賞口２６，２７のいずれか一方に入賞すると、それを契機として特別図柄表示の抽選が行われ、演出表示装置２３の表示画面上で演出用図柄の変動表示および停止表示が行われる。また、遊技球が通過ゲート２５を通過したことを契機として普通図柄表示の抽選が行われ、その抽選結果が当たりの場合に第２始動入賞口２７の可動片を一時的に開放して遊技球の入球を許可するようになっている。
【００２６】
アタッカ装置２８は第２始動入賞口２７の下方に配置されており、詳細については後述するが、アタッカ装置２８の上部には大入賞口を開閉可能な開閉扉が設けられ、アタッカ装置２８の内部には可動片によって開閉動作される特定領域（Ｖ領域ともいう）が設けられている。このアタッカ装置２８は、第１および第２始動入賞口２６，２７のいずれか一方に遊技球が入賞することを契機に行われる特別図柄表示に係る電子抽選の結果、当たりとなって大当たり遊技状態（特別遊技モード）へ移行した場合に作動される装置である。
【００２７】
具体的には、特別図柄表示の抽選結果が当たりの場合、アタッカ装置２８の開閉扉が複数回繰り返して開放動作することにより、大入賞口を露呈させて遊技球の入賞を許可するようになっている。開閉扉は１回の開放動作（１ラウンド）について例えば３０秒経過するまで、あるいは遊技球が大入賞口に例えば１０個入るまで開放状態を維持し、かかる開放動作を例えば１５回繰り返した後に大当たり遊技が終了する。また、大当たり遊技における特定のラウンドで可動片の作動により特定領域が開口され、この特定領域に遊技球が入球すると、高確率遊技回数が所定回数だけ付与される。
【００２８】
図５〜図９に示すように、通過ゲート２５と第２始動入賞口２７はベース部材３４に組み込まれて台板ユニット３５を構成しており、この台板ユニット３５が遊技盤２０にねじ止めされている。ベース部材３４の前面上部には一対の規制壁３４ａが左右方向に所定間隔を存して立設されており、演出表示装置２３の右側の遊技領域２１に向けて打ち出された遊技球は、これら規制壁３４ａの間を流下した後、規制壁３４ａの下端に連続する誘導領域３４ｂの内部を通って台板ユニット３５の下方へ排出される。
【００２９】
ベース部材３４の前面における両規制壁３４ａの間には、通過ゲート２５を通過する遊技球を検出するための球検知センサ３６が取り付けられており、この球検知センサ３６の下方に一対の支持突起３４ｃが設けられている。これら支持突起３４ｃで挟まれた部分に第２始動入賞口２７の入球通路の入口が開口しており（図７参照）、この入口が後述する第１駆動機構３７の可動片３８によって開閉される。第２始動入賞口２７の入球通路の内部には検知センサ（図示せず）が配置されており、この球検知センサにより第２始動入賞口２７に遊技球が入球したことが検出される。各支持突起３４ｃには平面視台形状の保護板３９がねじを用いて固定されており、この保護板３９の後方に存する空間内で第１駆動機構３７の可動片３８が回転動作する。また、左側の支持突起３４ｃの真下位置に治具挿通孔４０が設けられており、この治具挿通孔４０はベース部材３４を前後方向に貫通している。
【００３０】
第１駆動機構３７はベース部材３４の裏面に配設されており、図１０〜図１２に示すように、この第１駆動機構３７は、ブラケット４１と、電磁ソレノイド４２と、中継回転体４３と、前述した可動片３８とによって構成されている。ブラケット４１は断面凹形状の本体部４１ａを有しており、この本体部４１ａから外方へ突出する一対の耳部４１ｂがベース部材３４の裏面にねじ止めされる。電磁ソレノイド４２はプランジャ４２ａを下向きにした姿勢でブラケット４１の本体部４１ａ内に取り付けられており、この電磁ソレノイド４２の図示せぬコイルに電流を流すと、プランジャ４２ａが上下方向に往復移動するようになっている。
【００３１】
中継回転体４３は、ブラケット４１の本体部４１ａに回転可能に支持された筒状軸部４３ａと、筒状軸部４３ａの外周面から突出するアーム部４３ｂとを有しており、アーム部４３ｂの先端部には係合溝４３ｃが形成されている。アーム部４３ｂの中間付近は電磁ソレノイド４２のプランジャ４２ａに連結されているため、プランジャ４２ａが軸線方向に往復移動すると、中継回転体４３のアーム部４３ｂが筒状軸部４３ａを中心に上下方向に揺動回転する。
【００３２】
可動片３８は、左右方向に延びる軸部３８ａと、軸部３８ａの外周面から互いに逆向きに突出する作動部３８ｂおよび受部３８ｃとを有しており、軸部３８ａはベース部材３４に回転可能に支持されている。作動部３８ｂは第２始動入賞口２７の入口と対向する位置に配置されており、受部３８ｃはベース部材３４に設けられた治具挿通孔４０の後方に配置されている。この受部３８ｃにはピン３８ｄが突設されており、ピン３８ｄはアーム部４３ｂの係合溝４３ｃに係合している。したがって、電磁ソレノイド４２の駆動力により中継回転体４３のアーム部４３ｂが揺動回転すると、可動片３８が軸部３８ａを中心に前後方向に揺動回転し、それに伴って可動片３８の作動部３８ｂが第２始動入賞口２７の入口を開閉動作する。
【００３３】
前述したように、遊技球が通過ゲート２５を通過したことを契機として普通図柄表示の抽選が行われ、その抽選結果が当たりの場合に、可動片３８を回転動作させて第２始動入賞口２７の入口を一時的に開放する。その際、可動片３８の作動部３８ｂは遊技盤２０の盤面を覆う前面扉３の後方で回転動作するが、この作動部３８ｂを覆っている保護板３９がベース部材３４に固定されているため、作動部３８ｂは保護板３９の後方に存する空間内で軸部３８ａを中心に前後方向へ揺動回転する。したがって、前面扉３の透明板４に反りや歪み等の変形が生じたとしても、その変形が可動片３８の回転動作に悪影響を及ぼすことはない。
【００３４】
ここで、可動片３８が非動作位置にあるとき、図９（ａ）に示すように、可動片３８の作動部３８ｂは起立姿勢にあって第２始動入賞口２７の入口を塞いでいるため、通過ゲート２５を通過した遊技球は、保護板３９と作動部３８ｂとの間を通って下方の誘導領域３４ｂへと向かう。
【００３５】
一方、可動片３８が動作位置にあるとき、図９（ｂ）に示すように、可動片３８の作動部３８ｂは電磁ソレノイド４２から反時計回りの駆動力を受けて前傾姿勢となり、それに伴って第２始動入賞口２７の入口が開放されるため、通過ゲート２５を通過した遊技球は作動部３８ｂ上に落下し、そのまま作動部３８ｂ上を転動して第２始動入賞口２７の入球通路へと導かれる。
【００３６】
そして、第２始動入賞口２７を開放する位置に回動した可動片３８は、一定時間（例えば「３．０」秒）後に、電磁ソレノイド４２から時計回りの駆動力を受けて図９（ａ）に示す非動作位置に戻り、第２始動入賞口２７の入口は作動部３８ｂによって再び塞がれる。
【００３７】
また、前傾姿勢の作動部３８ｂが電磁ソレノイド４２から時計回りの駆動力を受けて起立姿勢に戻る途中で、通過ゲート２５を通過した遊技球が保護板３９と作動部３８ｂとの間に落下すると、図９（ｃ）に示すように、この遊技球が作動部３８ｂの先端部と第２始動入賞口２７の入口縁部との間に挟まってしまうことがある。その場合、作動部３８ｂが起立姿勢に戻りきらずに半開き状態のままロックしてしまい、保護板３９の内部で球詰まりを発生してしまうが、作動部３８ｂの前方が保護板３９で覆われているため、前面扉３を開放しても保護板３９の内部の作動部３８ｂに直接アクセスすることはできず、球詰まりを解消することが困難となる。
【００３８】
このような球詰まりが発生した場合、本実施形態では、遊技盤２０の盤面を覆う前面扉３を開放した後、遊技盤２０の前方から治具挿通孔４０に棒状の治具４４を挿入し、この治具４４で治具挿通孔４０の内部に対向配置された受部３８ｃを後方へ押し込むようにしている。その結果、可動片３８が電磁ソレノイド４２の駆動力に抗して図９（ｃ）の反時計回りに回転し、作動部３８ｂの先端部と第２始動入賞口２７の入口縁部との間に挟まっていた遊技球が、作動部３８ｂ上を転動して第２始動入賞口２７の入球通路へと導かれるため、球詰まりを容易に解消することができる。そして、球詰まりを解消した後に治具４４を治具挿通孔４０から抜き取れば、可動片３８が電磁ソレノイド４２の駆動力により図９（ａ）に示す非動作位置に戻るため、第２始動入賞口２７の入口は作動部３８ｂによって塞がれる。
【００３９】
なお、本実施形態では、ベース部材３４に設けた治具挿通孔４０の後方に可動片３８の受部３８ｃを対向配置しているが、治具挿通孔４０をベース部材３４の代わりに保護板３９に設け、この治具挿通孔４０の後方に可動片３８の作動部３８ｂを対向配置しても良い。このような構成にした場合、球詰まりが発生したときに、保護板３９の治具挿通孔４０に挿入した治具４４を作動部３８ｂに直接アクセスしたり、挟まった遊技球を介して作動部３８ｂにアクセスすることにより、球詰まりを容易に解消することができる。
【００４０】
次に、図１３〜図２０を参照して前記アタッカ装置２８について詳細に説明すると、このアタッカ装置２８は、遊技盤２０の盤面にねじを用いて固定されるベース部材４５と、ベース部材４５の前方を覆う保護板４６とを備えて構成されている。アタッカ装置２８の上部には大入賞口を開閉可能な開閉扉４７が設けられており、この開閉扉４７は台板ユニット３５の誘導領域３４ｂの真下位置に配置されている。
【００４１】
アタッカ装置２８の内部には蛇行形状に延びる球誘導通路４８が設けられており、この球誘導通路４８の下端部は一般領域４９に連続しているが、球誘導通路４８の途中に特定領域５０が設けられている。これら一般領域４９と特定領域５０にはそれぞれ球検知センサ５１，５２が配置されており、球誘導通路４８の上部には別の球検知センサ５３が配置されている。特定領域５０の入球通路の入口には後述する第２駆動機構５４の可動片５５が配置されており、特定領域５０の入球通路は可動片５５が前後方向へ移動することにより開閉される。また、アタッカ装置２８の内部には、大入賞口に入球した遊技球を球誘導通路４８の上端まで導く誘導板５６と、複数のＬＥＤ５７を実装した電飾基板５８とが配設されている。
【００４２】
保護板４６は透明または半透明なプラスチックからなる成形品であり、この保護板４６を透してアタッカ装置２８の内部に入った遊技球の挙動を目視可能となっている。保護板４６とベース部材４５はねじ等の締結具を用いて接合・一体化されており、保護板４６の下部左側には治具挿通孔４６ａが設けられている。この治具挿通孔４６ａは保護板４６を前後方向に貫通しており、第２駆動機構５４の可動片５５は治具挿通孔４６ａの後方に配置されている。
【００４３】
第２駆動機構５４はベース部材４５の裏面に配設されており、図１９と図２０に示すように、この第２駆動機構５４は、ブラケット５９と、電磁ソレノイド６０と、中継回転体６１と、ガイド体６２と、前述した可動片５５とによって構成されている。ブラケット５９は断面凹形状の本体部５９ａを有しており、この本体部５９ａから外方へ突出する一対の耳部５９ｂがベース部材３４の裏面にねじ止めされる。電磁ソレノイド６０はプランジャ６０ａを横向きにした姿勢でブラケット５９の本体部５９ａ内に取り付けられており、この電磁ソレノイド６０の図示せぬコイルに電流を流すと、プランジャ６０ａが左右方向に往復移動するようになっている。
【００４４】
中継回転体６１はＬ字状に屈曲する２つの腕部を有しており、この中継回転体６１の屈曲付近には上下方向へ突出する筒状軸部６１ａが形成されている。筒状軸部６１ａはブラケット５９の本体部５９ａに回転可能に支持されており、一方の腕部の先端が電磁ソレノイド６０のプランジャ６０ａに連結されると共に、他方の腕部の先端が可動片５５に連結されている。したがって、プランジャ６０ａが左右方向に往復移動すると、中継回転体６１が筒状軸部６１ａを中心に水平面内で揺動回転し、その動きが可動片５５に伝達される。
【００４５】
ガイド体６２はブラケット５９の本体部５９ａの下面にねじ止めされており、このガイド体６２には前後方向に延びるガイド溝６２ａが形成されている。可動片５５はガイド体６２のガイド溝６２ａ内に摺動自在に配置されており、可動片５５の先端側には鉤状に屈曲する作動部５５ａが形成されている。この作動部５５ａは特定領域５０の入口と対向する位置に配置されており、その先端部が保護板４６に設けられた治具挿通孔４６ａと対向している。したがって、電磁ソレノイド６０の駆動力により中継回転体６１が揺動回転すると、可動片５５がガイド溝６２ａに沿って前後方向にスライド移動し、それに伴って作動部５５ａが特定領域５０の入口を開閉動作する。
【００４６】
前述したように、第１および第２始動入賞口２６，２７のいずれか一方に遊技球が入賞することを契機として特別図柄表示の抽選が行われ、その抽選結果が当たりの場合に、アタッカ装置２８の開閉扉４７を複数ラウンド繰り返して開放動作することにより、大入賞口を露呈させて遊技球の入賞を許可するようにしている。大入賞口に入った遊技球は誘導板５６上を転動して球誘導通路４８へと導かれ、通常のラウンドでは、特定領域５０の入口が可動片５５の作動部５５ａで塞がれているため、球誘導通路４８内に誘導された遊技球は特定領域５０を通過して一般領域４９に達する。また、特定のラウンドで可動片５５を後方へスライド移動して特定領域５０の入口を一時的に開放し、この特定領域５０に球誘導通路４８内を通過する遊技球が入球した場合に、高確率遊技回数を所定回数だけ付与するようにしている。
【００４７】
その際、アタッカ装置２８のベース部材４５に可動片５５を覆う保護板４６が固定されており、可動片５５は保護板４６の後方に存する空間内で前後方向へスライド移動するため、保護板４６の前方に配置される前面扉３の透明板４に反りや歪み等の変形が生じたとしても、その変形が可動片５５の移動に悪影響を及ぼすことはない。
【００４８】
ここで、可動片５５が非動作状態にあるとき、図１８（ａ）に示すように、可動片５５の作動部５５ａは前進位置にあって特定領域５０の入口を塞いでいるため、球誘導通路４８内に導かれた遊技球は、特定領域５０に入ることなく作動部５５ａ上を通過して一般領域４９へと向かう。
【００４９】
一方、可動片５５が動作状態にあるとき、図１８（ｂ）に示すように、可動片５５の作動部５５ａは電磁ソレノイド６０から後方への駆動力を受けて後退位置まで移動し、それに伴って特定領域５０の入口が開放されるため、球誘導通路４８内に導かれた遊技球は、特定領域５０に入球して球検知センサ５２にて検出される。
【００５０】
そして、特定領域５０を開放する後退位置に移動した可動片５５は、所定の終了条件が成立すると、電磁ソレノイド６０から前方への駆動力を受けて図１８（ａ）に示す非動作位置まで移動するため、特定領域５０の入口は可動片５５の作動部５５ａによって再び塞がれる。この所定の終了条件とは、特定のラウンド遊技が終了すること（特定のラウンド遊技に係る時間が経過する、または特定領域５０への所定個数の遊技球の入球があった）となっている。言い換えれば、特定のラウンド遊技においては、アタッカ装置２８の開閉扉４７が１回または１０回開放することとなるが、この特定のラウンド遊技中においては、特定領域５０の入球通路が常に露出した状態に維持されるため、アタッカ装置２８内に遊技球が入球すれば、そのほぼ全てが特定領域５０に入球するものとなっている。なお、上記所定の終了条件として、特定のラウンドが開始されてから一定時間（例えば「５．０」秒）経過するものであっても良い。
【００５１】
また、後退位置に移動した可動片５５が電磁ソレノイド６０から前方への駆動力を受けて前進位置に戻る途中で、球誘導通路４８内に導かれた遊技球が特定領域５０の真上を通過すると、図１８（ｃ）に示すように、この遊技球が保護板４６の裏面と可動片５５の作動部５５ａとの間に挟まってしまうことがある。その結果、可動片５５が前進位置に戻りきらずに半開き状態のままロックしてしまい、特定領域５０の入口で球詰まりを発生してしまうが、可動片５５の前方が保護板４６で覆われているため、前面扉３を開放しても保護板４６の内部の可動片５５に直接アクセスすることはできず、球詰まりを解消することが困難となる。
【００５２】
このような球詰まりが発生した場合、本実施形態では、遊技盤２０の盤面を覆う前面扉３を開放した後、遊技盤２０の前方から治具挿通孔４６ａに棒状の治具４４を挿入し、この治具４４で治具挿通孔４６ａの後方に挟まった遊技球を介して可動片５５を押し込むようにしている。その結果、可動片５５が電磁ソレノイド６０の前方への駆動力に抗して後方へ移動し、可動片５５の作動部５５ａと保護板４６との間に挟まっていた遊技球が特定領域５０の内部に落下するため、球詰まりを容易に解消することができる。そして、球詰まりを解消した後に治具４４を治具挿通孔４６ａから抜き取れば、可動片５５が電磁ソレノイド６０の駆動力により図１８（ａ）に示す非動作位置に戻るため、特定領域５０の入口は可動片５５の作動部５５ａによって塞がれる。
【００５３】
なお、本実施形態では、球詰まりが発生した場合に、治具挿通孔４６ａに挿入した治具４４が遊技球を介して可動片５５を押し込むようにしているが、可動片５５に治具挿通孔４６ａと対向する受部を設けることにより、治具４４が可動片５５を直接押し込むように構成することも可能である。
【００５４】
以上説明したように、本実施形態に係るパチンコ機Ｐでは、入球通路である第２始動入賞口２７の入口を開閉動作する可動片３８の前面が保護板３９で覆われており、この保護板３９を固定するベース部材３４（または保護板３９）に可動片３８に対してアクセス可能な治具挿通孔４０が設けられているため、保護板３９の内部で球詰まりが発生した場合は、前面扉３を開放して保護板３９を露呈させた状態で、治具挿通孔４０に治具４４を差し込んで可動片３８を手動操作することにより、容易に球詰まりを解消することができる。
【００５５】
また、本実施形態に係るパチンコ機Ｐでは、アタッカ装置２８の内部に入球通路である特定領域５０が設けられていると共に、特定領域５０の入口を開閉動作する可動片５５を含めたアタッカ装置２８の前面が保護板４６によって覆われており、この保護板４６に可動片５５に対してアクセス可能な治具挿通孔４６ａが設けられているため、保護板４６の内部で球詰まりが発生した場合は、前面扉３を開放して保護板４６を露呈させた状態で、治具挿通孔４６ａに治具４４を差し込んで可動片５５を手動操作することにより、容易に球詰まりを解消することができる。
【００５６】
なお、上記実施形態では、保護板３９，４６で覆われた可動片３８，５５を有する入球通路として、右側の遊技領域２１に設けられた第２始動入賞口２７と、アタッカ装置２８の内部に設けられた特定領域５０とを例示して説明したが、本発明を適用可能な入球通路は、遊技領域２１の任意位置に設けられた始動入賞口や、アタッカ装置２８の外部に設けられた特定領域等を含め、開閉可能な可動片を有する入球通路であれば上記実施形態に限定されるものではない。
【００５７】
また、上記実施形態では、第２始動入賞口２７の可動片３８が軸部３８ａを中心に前後方向に揺動する回動タイプであり、特定領域５０の可動片５５が前後方向へ往復移動するスライドタイプである場合について説明したが、これら可動片３８，５５が両方共に回動タイプであったり、あるいは両方共にスライドタイプであっても良い。
【００５８】
また、上記実施形態では、球詰まりが発生した場合に、治具挿通孔４０や治具挿通孔４６ａに治具４４を挿入して球詰まりを解消する操作について説明したが、これら治具挿通孔４０や治具挿通孔４６ａは、球詰まりを解消する以外にも、第１駆動機構３７や第２駆動機構５４の動作確認（正常に動作するか否かの検査）用として利用することも可能である。
【符号の説明】
【００５９】
１  機枠
２  本体枠
３  前面扉
４  透明板
２０  遊技盤
２１  遊技領域
２５  通過ゲート
２６  第１始動入賞口
２７  第２始動入賞口
２８  アタッカ装置
３４  ベース部材
３４ｃ  支持突起
３５  台板ユニット
３６  球検知センサ
３７  第１駆動機構
３８  可動片
３８ａ  軸部
３８ｂ  作動部
３８ｃ  受部
３９  保護板
４０  治具挿通孔（挿通孔）
４１  ブラケット
４２  電磁ソレノイド
４３  中継回転体
４４  治具
４５  ベース部材
４６  保護板
４６ａ  治具挿通孔（挿通孔）
４７  開閉扉
４８  球誘導通路
４９  一般領域
５０  特定領域
５２  球検知センサ
５４  第２駆動機構
５５  可動片
５５ａ  作動部
５９  ブラケット
６０  電磁ソレノイド
６１  中継回転体
６２  ガイド体
Ｐ  パチンコ機
【図１】
2019195529.tif 000003
【図２】
2019195529.tif 000004
【図３】
2019195529.tif 000005
【図４】
2019195529.tif 000006
【図５】
2019195529.tif 000007
【図６】
2019195529.tif 000008
【図７】
2019195529.tif 000009
【図８】
2019195529.tif 000010
【図９】
2019195529.tif 000011
【図１０】
2019195529.tif 000012
【図１１】
2019195529.tif 000013
【図１２】
2019195529.tif 000014
【図１３】
2019195529.tif 000015
【図１４】
2019195529.tif 000016
【図１５】
2019195529.tif 000017
【図１６】
2019195529.tif 000018
【図１７】
2019195529.tif 000019
【図１８】
2019195529.tif 000020
【図１９】
2019195529.tif 000021
【図２０】
2019195529.tif 000022